(57)【特許請求の範囲】
【請求項１】
箱内において棒状部材を該箱の内面から離間させた状態で支持するために前記箱に収容される棒状部材用ホルダであって、
第１ホルダ部と第２ホルダ部とを備え、
第１ホルダ部に、前記棒状部材の一端部を支持する第１支持部が設けられ、
第２ホルダ部に、前記棒状部材の他端部を支持する第２支持部が第１支持部から離間して設けられ、
第１ホルダ部と第２ホルダ部とは相互に分離可能となっており、
第１ホルダ部または第２ホルダ部の少なくとも一方のホルダ部は、ホルダ部本体の所定位置から延びる位置決めアームを備え、
該位置決めアームは、前記ホルダ部本体から他方のホルダ部とは反対側へ突出しないように配置される第１の状態と、前記ホルダ本体から他方のホルダ部とは反対側へ突出するように配置される第２の状態との間で切り替え可能となっていることを特徴とする棒状部材用ホルダ。
【請求項２】
第１ホルダ部および第２ホルダ部の両方が前記位置決めアームを備え、
一方のホルダ部の位置決めアームは他方のホルダ部の位置決めアームよりも長く形成されていることを特徴とする請求項１に記載の棒状部材用ホルダ。
【請求項３】
第１ホルダ部と第２ホルダ部とは、１つのシートを折り曲げて形成されており、
該シートに、第１ホルダ部と第２ホルダ部とを分離するための切り離し部が形成されていることを特徴とすることを特徴とする請求項１または２に記載の棒状部材用ホルダ。
【請求項４】
前記シートに複数の穴が形成されており、
第１及び第２の支持部の全部または一部は、前記穴の周壁で構成されていることを特徴とする請求項３に記載の棒状部材用ホルダ。
【請求項５】
第１及び第２の支持部は、所定幅よりも大きな太さを有する棒状部材を支持するためのメイン支持部と、前記所定幅以下の太さを有する棒状部材を支持するためのサブ支持部と、を有することを特徴とする請求項１〜４のいずれかに記載の棒状部材用ホルダ。
【請求項６】
請求項１〜５のいずれかに記載の棒状部材用ホルダと、
該ホルダを収容する箱と、を備えたことを特徴とする包装体。
【請求項７】
前記箱は、第１ホルダ部と第２ホルダ部とが分離されていない状態の前記ホルダを該ホ
ルダの移動を規制しつつ収容可能な第１の箱と、第１の箱よりも大きく、前記ホルダを第
１ホルダ部と第２ホルダ部とを離間させた状態で収容可能な第２の箱とから選択されるこ
とを特徴とする請求項６に記載の包装体。
【発明の詳細な説明】
【技術分野】
【０００１】
本発明は、箱を用いて包装される棒状部材を該箱内で支持するためのホルダ、及び該ホルダを備えた包装体に関する。
【背景技術】
【０００２】
一般的に、液体クロマトグラフィに用いられるカラムは、１本ずつ紙箱で包装された状態で流通される。この場合、流通段階でカラムが破損することを防止するために、紙箱にはカラムと共に種々の緩衝部材が収容される。
【０００３】
この緩衝部材の一例として紙製のホルダを用いて、紙箱内において該ホルダによりカラムを支持することで、カラムを紙箱の内面から離間させた状態が維持されるように包装することが考えられる。
【０００４】
この場合、紙以外の材料を包装に用いなくても済むため、材料コストの低減化を図ることができる。また、かかるホルダは一定の形状を有するため、カラムの包装を簡単かつ確実に行うことができる。
【０００５】
また、この種のホルダを、カラム以外の棒状部材の包装に使用することも考えられ、この場合も同様の効果を得ることができる。
【０００６】
なお、棒状部材を紙箱で包装する技術の一例が特許文献１に開示されているが、特許文献１に開示された技術は、棒状化粧用具を紙箱の内面に押し当てた状態で該紙箱に収容するものであって、棒状部材を紙箱の内面から離間させた状態に維持しつつ包装する技術でなない。
【先行技術文献】
【特許文献】
【０００７】
【特許文献１】特開２００４−２９１９８０号公報
【発明の概要】
【発明が解決しようとする課題】
【０００８】
しかしながら、カラム等の棒状部材は種々の太さおよび長さを有するため、棒状部材の大きさに対応した専用のホルダを棒状部材毎に用意しなければならい問題がある。
【０００９】
そこで、本発明は、大きさが異なる複数種類の棒状部材に対応可能な棒状部材用ホルダ、及び該ホルダを備えた包装体を提供することを課題とする。
【課題を解決するための手段】
【００１０】
上記課題を解決するため、本発明に係る棒状部材用ホルダは、
箱内において棒状部材を該箱の内面から離間させた状態で支持するために前記箱に収容される棒状部材用ホルダであって、
第１ホルダ部と第２ホルダ部とを備え、
第１ホルダ部に、前記棒状部材の一端部を支持する第１支持部が設けられ、
第２ホルダ部に、前記棒状部材の他端部を支持する第２支持部が第１支持部から離間して設けられ、
第１ホルダ部と第２ホルダ部とは相互に分離可能となっており、
第１ホルダ部または第２ホルダ部の少なくとも一方のホルダ部は、ホルダ部本体の所定位置から延びる位置決めアームを備え、
該位置決めアームは、前記ホルダ部本体から他方のホルダ部とは反対側へ突出しないように配置される第１の状態と、前記ホルダ本体から他方のホルダ部とは反対側へ突出するように配置される第２の状態との間で切り替え可能となっていることを特徴とする。
【００１１】
また、本発明に係る包装体は、上記の棒状部材用ホルダと、該ホルダを収容する箱と、を備えたことを特徴とする。
【発明の効果】
【００１２】
本発明によれば、棒状部材の一端部を支持する第１支持部が設けられた第１ホルダ部と、棒状部材の他端部を支持する第２支持部が設けられた第２ホルダ部とが相互に分離可能となっているため、必要に応じて第１ホルダ部と第２ホルダ部とを相互に分離することで、第１支持部と第２支持部との距離を変更することができる。そのため、棒状部材の長さに応じて、ホルダの第１支持部と第２支持部との距離を調整することで、長さが異なる種々の棒状部材をホルダにより安定して支持することができる。
【図面の簡単な説明】
【００１３】
【図１】本発明の一実施形態に係るカラム用ホルダを示す斜視図である。
【図２】図１に示すホルダとカラムとを収容する紙箱を示す斜視図である。
【図３】図２に示す紙箱の中蓋を閉じた状態を示す斜視図である。
【図４】図１に示すホルダを形成するためのブランクシートを示す平面図である。
【図５】図４に示すシートを用いてホルダを組み立てる手順を示す斜視図である。
【図６】第１ホルダ部と第２ホルダ部とを分離することなくホルダを紙箱に収容した態様を示す平面図である。
【図７】図６に示す態様において、ホルダのサブ支持部により比較的小径のカラムを支持した状態を示す平面図である。
【図８】第１ホルダ部と第２ホルダ部とを相互に分離した状態のホルダを示す斜視図である。
【図９】第１ホルダ部と第２ホルダ部とを相互に分離してホルダを紙箱に収容した態様を示す平面図である。
【図１０】第１ホルダ部の位置決めアームを第２の状態に切り替えてホルダを紙箱に収容した態様を示す平面図である。
【図１１】第２ホルダ部の位置決めアームを第２の状態に切り替えてホルダを紙箱に収容した態様を示す平面図である。
【図１２】第１ホルダ部と第２ホルダ部とが分離されていない複数のホルダを紙箱に収容した態様を示す平面図である。
【図１３】第１ホルダ部と第２ホルダ部とが相互に分離された複数のホルダを紙箱に収容した態様を示す平面図である。
【発明を実施するための形態】
【００１４】
以下、図面を参照しながら本発明の好適な実施形態を説明する。
【００１５】
図１は、本実施形態に係るカラム用ホルダ４を示す斜視図である。このホルダ４と、例えば図２に示す紙箱６とから、液体クロマトグラフィ用カラム１００（１００ａ〜１００ｅ）を包装する包装体２が構成されている。
【００１６】
具体的に、ホルダ４は、紙箱６に収容されて使用され、該紙箱６内において該紙箱６の内面から離間した状態でカラム１００を支持するものである。このホルダ４を用いることにより、紙箱６に加えられた外力が該紙箱６内のカラム１００に伝わることを抑制することができる。すなわち、ホルダ４の緩衝機能により、流通過程におけるカラム１００の破損を防止することができる。
【００１７】
ホルダ４は、第１ホルダ部６１と第２ホルダ部６２とを有し、第１ホルダ部６１には、カラム１００の一端部を支持する第１支持部６５が設けられ、第２ホルダ部６２には、第１支持部６５から離間して配置されてカラム１００の他端部を支持する第２支持部６６が設けられている。これにより、カラム１００は、第１支持部６５と第２支持部６６とに掛け渡された状態でホルダ４に支持されるようになっている。ホルダ４の具体的な構造については後述する。
【００１８】
図２に示すように、紙箱６は、底面部７１と、該底面部７１から立ち上がる周壁部７２と、該周壁部７２の上端から延びる複数の蓋部７７〜８０とを有する。底面部７１の形状は細長い長方形となっている。周壁部７２は、正面部７３と、該正面部７３に対向する背面部７４と、正面部７３と背面部７４とに跨る一対の側面部７５，７６とを有する。正面部７３と背面部７４とは、底面部７１の周縁の長辺部分から立ち上がるように設けられ、一対の側面部７５，７６は、底面部７１の周縁の短辺部分から立ち上がるように設けられている。前記複数の蓋部７７〜８０は、具体的には、正面部７３の上端から延びる中蓋７７と、各側面部７５から延びる内蓋７８，７９と、背面部７４から延びる外蓋８０とで構成されている。中蓋７７は、折り目８５を介して正面部７３に連なる折返し部８１と、折り目８６を介して折返し部８１に連なるカバー部８２と、折り目８７を介してカバー部８２に連なる折り曲げ部８３とを有する。また、正面部７３から折返し部８１にかけて例えば円形の穴９４が折り目８５を横切って形成されている。さらに、折り曲げ部８３の長手方向中央部には摘み片８４が折り目８８を介して連設されている。外蓋８０は、折り目９１を介して背面部７４に連なるカバー部８９と、折り目９２を介してカバー部８９に連なる折り曲げ部９０とを有する。
【００１９】
次に、包装体２でカラム１００を包装する手順について説明する。なお、この説明において、「山折り」及び「谷折り」という蓋部７４〜８０を折る方向を示す用語は、紙箱６の上方から見たときの方向を指すものとする。
【００２０】
先ず、紙箱６にホルダ４を収容するとともに、該ホルダ４にカラム１００を支持させた後、図３に示すように、中蓋７７を閉じる。具体的には、中蓋７７を折り目８５に沿って山折りで略直角に折り曲げるとともに２つの折り目８６，８７に沿ってそれぞれ谷折りで略直角に折り曲げることにより、中蓋７７を閉じる。これにより、中蓋７７のカバー部８２が、周壁部７２の上端よりも所定高さだけ低い高さでホルダ４及び該ホルダ４に支持されたカラム１００を覆うように配設される。このように配設されたカバー部８２により、ホルダ４に支持されたカラム１００は上側から押さえ込まれるため、カラム１００は一層安定的に支持された状態で紙箱６に収容される。
【００２１】
なお、中蓋７７を閉じた状態では、中蓋７７の摘み片８４が周壁部７２の上端よりも上側に突出した状態となっている。そのため、開封の際は、この摘み片８４を摘んで持ち上げることで、中蓋７７を容易に開くことができる。また、中蓋７７を閉じた状態では、前記穴９４の周壁の上半部が折返し部８１と共に折り目８５に沿って折り返されているため、周壁部７２の正面部７３の上端には半円状の凹部９４ａが形成されている。
【００２２】
中蓋７７を閉じた後は、一対の内蓋７８，７９をそれぞれ折り目９６，９７に沿って内側へ略直角に折り曲げ、これらの内蓋７８，７９の上側に外蓋８０を折り重ねる。具体的には、外蓋８０を２つの折り目９１，９２に沿ってそれぞれ山折りで略直角に折り曲げ、折り曲げ部９０を中蓋７７の折返し部８１の内側に収めることで、外蓋８０を閉じる。
【００２３】
このとき、紙箱６の内部には、中蓋７７のカバー部８２の上方にスペースが形成されるため、このスペースを利用して、例えば、取扱説明書等の添付物を収容することができる。さらに、正面部７３の上端には前記の半円状の凹部９４ａが形成されているため、開封の際は、該凹部９４ａを通して外蓋８０の折り曲げ部９０を容易に掴むことができ、外蓋８０を容易に開くことができる。
【００２４】
ホルダ４は、図４に示す紙製のブランクシート１０を折り曲げることで組み立てられる。すなわち、第１ホルダ部６１と第２ホルダ部６２とは、共通の１つのシート１０を折り曲げて形成されている。
【００２５】
図４に示すように、シート１０は、後述の延出片３１（３１ａ，３１ｂ），３２（３２ａ，３２ｂ）を除く部分において、略帯状に形成されている。
【００２６】
シート１０の長さ方向中央部には、第１ホルダ部６１と第２ホルダ部６２とを分離するための切り離し部３０が形成されている。この切り離し部３０は、ミシン目状に配置された複数の切り目で構成されている。この切り離し部３０を境界として、シート１０は、第１ホルダ部６１を形成する第１ホルダ部形成部１６１と、第２ホルダ部６２を形成する第２ホルダ部形成部１６２とに区分されている。
【００２７】
第１ホルダ部形成部１６１は、第２ホルダ部形成部１６２に対して遠い側から近い側に向かって順に折り目４１〜４８を介して直線状に連なる第１〜第９のシート部１１〜１９を備えている。シート１０全体の長さ方向に関して、第２シート部１２と第４シート部１４と第６シート部１６とは略同じ長さを有し、第７シート部１７は、第３シート部１３よりも長く形成されている。
【００２８】
また、第１ホルダ部形成部１６１には、第３シート部１３と第４シート部１４とに跨って、第１の穴３３が折り目４３を横切って形成されている。第１の穴３３の形状は細長い矩形であり、該穴３３の短手方向の幅はＤ１となっている。第１の穴３３の一端は折り目４２に沿って配置されている。また、第４シート部１４において、第１の穴３３の他端のコーナー部には、例えば略円形の拡張部３４が設けられている。該拡張部３４は、前記の幅Ｄ１よりも小さい直径Ｄ２を有する。
【００２９】
さらに、第１ホルダ部形成部１６１には、第６シート部１６と第７シート部１７とに跨って、第２の穴３５が折り目４６を横切って形成されている。第１の穴３３と同様、第２の穴３５の形状も細長い矩形であり、短手方向に幅Ｄ１を有するが、長手方向に関しては第１の穴３３よりも長く形成されている。第６シート部１６において、第２の穴３５の一端のコーナー部には、例えば略円形の拡張部３６が設けられている。該拡張部３６の直径は、第１の穴３３の拡張部３４と同じくＤ２である。
【００３０】
また、第８シート部１８には、シート１０全体の長さ方向に直角な方向に延びる一対の延出片３１ａ，３１ｂがそれぞれ折り目４９，５０を介して連設されている。該一対の延出片３１ａ，３１ｂは、互いに同じ長さを有する。
【００３１】
同様に、第２ホルダ部形成部１６２は、第１ホルダ部形成部１６１に対して遠い側から近い側に向かって順に折り目５１〜５８を介して直線状に連なる第１〜第９のシート部２１〜２９を備えている。第２ホルダ部形成部１６２の第９シート部２９と、第１ホルダ部形成部１６１の第９シート部１９とは、一体のシート部であるが、前記切り離し部３０により区切られている。また、第１ホルダ部形成部１６１と同様、シート１０全体の長さ方向に関して、第２シート部２２と第４シート部２４と第６シート部２６とは略同じ長さを有し、第７シート部２７は第３シート部２３よりも長く形成されている。
【００３２】
また、第２ホルダ部形成部１６２には、第１ホルダ部形成部１６１と同様、第３シート部２３と第４シート部２４とに跨って、第１の穴３７が折り目５３を横切って形成されている。第１の穴３７の形状は細長い矩形であり、短手方向に幅Ｄ１を有する。また、該穴３７の一端は折り目５２に沿って配置されている。さらに、第４シート部２４において、第１の穴３７の他端のコーナー部には、例えば略円形の拡張部３８が設けられており、該拡張部３８は直径Ｄ２を有する。また、第１ホルダ部形成部１６１と同様、第６シート部２６と第７シート部２７とに跨って、第２の穴３９が折り目５６を横切って形成されている。第２の穴３９の形状も細長い矩形であり、短手方向に関しては第１の穴３７と同じく幅Ｄ１を有するが、長手方向に関しては第１の穴３７よりも長く形成されている。さらに、第６シート部２６において、第２の穴３９の一端のコーナー部には、例えば略円形の拡張部４０が設けられており、該拡張部４０の直径は、第１の穴３７の拡張部３８と同じくＤ２である。
【００３３】
このように形成された第２ホルダ部形成部１６２の第１〜第９のシート部２１〜２９の形状は、第１ホルダ部形成部１６１の第１〜第９のシート部１１〜１９の形状と線対称となっている。
【００３４】
また、第１ホルダ部形成部１６１と同様、第８シート部２８には、シート１０全体の長さ方向に直角な方向に延びる一対の延出片３２ａ，３２ｂがそれぞれ折り目５９，６０を介して連設されている。該一対の延出片３２（３２ａ，３２ｂ）は、互いに同じ長さを有し、第１ホルダ部形成部１６１の延出片３１（３１ａ，３１ｂ）よりも短く形成されている。
【００３５】
次に、このシート１０を用いてホルダ４を組み立てる手順について説明する。なお、この説明において、「山折り」及び「谷折り」というシート１０を折る方向を示す用語は、図４に示す状態におけるシート１０の上面側から見たときの方向を指すものとする。
【００３６】
先ず、図５に示すように、第１ホルダ部形成部１６１を３つの折り目４４〜４６に沿って谷折りで略直角に折り曲げるとともに、２つの折り目４２，４３に沿って山折りで略直角に折り曲げ、第３シート部１３を第７シート部１７に接着する。このとき、第７シート部１７における第２の穴３５の周縁と第３シート部１３における第１の穴３３の周縁とが重なり合うようになっている。
【００３７】
続いて、第１ホルダ部形成部１６１を２つの折り目４７，４８に沿って谷折りで略直角に折り曲げた後、第１シート部１１を折り目４１に沿って山折りで略直角に折り曲げながら、第１シート部１１と第５シート部１５とを第９シート部１９に接着することで、第１ホルダ部６１が形成される（図１参照）。
【００３８】
同様の手順で第２ホルダ部形成部１６２の折り曲げ及び接着を行うことで、第２ホルダ部６２が形成され、これにより、図１に示すホルダ４が完成する。
【００３９】
なお、シート１０のシート部同士の接着は、例えば、接着が行われるシート部の表面に予め接着剤を塗布しておくことで行われる。
【００４０】
再び図１を参照しながら、上記のようにして組み立てられたホルダ４の構造について説明する。
【００４１】
図１に示すように、第１ホルダ部６１は、第１〜第９のシート部１１〜１９で形成されたホルダ部本体６３と、前記延出片３１（３１ａ，３１ｂ）からなる一対の位置決めアームとを有する。
【００４２】
第１ホルダ部６１のホルダ部本体６３は、第７シート部１７からなる上面部と、第９シート部１９からなる底面部と、第６シート部１６からなり上面部１７と底面部１９とに跨る第２ホルダ部６２側の第１端面部と、第８シート部１８からなり上面部１７と底面部１９とに跨る第２ホルダ部６２側とは反対側の第２端面部とを有する。第１及び第２の端面部１６，１８間には、第４シート部１４からなり上面部１７と底面部１９とに跨る第１脚部と、第２シート部１２からなり上面部１７と底面部１９とに跨る第２脚部とが設けられている。すなわち、上面部１７は、第１及び第２端面部１６，１８と、第１及び第２脚部１２，１４とにより支持されている。
【００４３】
第１支持部６５は、前記穴３３，３５の拡張部３４，３６の直径Ｄ２よりも大きな太さを有するカラム１００ａ（図６参照）を支持するためのメイン支持部６５ａと、前記直径Ｄ２以下の太さを有するカラム１００ｂ（図７参照）を支持するためのサブ支持部６５ｂとを有する。
【００４４】
メイン支持部６５ａは、前記穴３３，３５のうち拡張部３４，３６を除く部分の周壁で構成されている。前記穴３５は、第１端面部１６と上面部１７とに跨って設けられ、前記穴３３は、第１脚部１４と上面部１７裏面の第３シート部１３とに跨って設けられている。また、前記穴３５は、上面部１７において第１端面部１６との境界部から第２端面部１８側に向かって延びるように配置されている。さらに、第３シート部１３における前記穴３３は、上面部１７の穴３５の下側に重なるように配置されている。そのため、これらの穴３３，３５に、上方から容易にカラム１００ａの一端部を嵌め込むことができる。また、穴３３，３５に嵌め込まれたカラム１００ａの一端部を、第１端面部１６における穴３５の下側周壁部と、第１脚部１４における穴３３の下側周壁部とにより下側から支持できるとともに、第１端面部１６及び上面部１７における穴３５の側方周壁部と、第１脚部１４及び第３シート部１３における穴３３の側方周壁部とにより側方から支持できる。図６に示すように、前記穴３３，３５は短手方向に幅Ｄ１を有するため、メイン支持部６５ａは、Ｄ２よりも大きく且つＤ１以下である直径を有するカラム１００ａを安定して支持することができ、特に、Ｄ１と比べて同じか又は僅かに小さい直径を有するカラム１００ａを一層安定して支持することができる。
【００４５】
一方、サブ支持部６５ｂは、前記穴３３，３５の拡張部３４，３６の周壁で構成されている。拡張部３４，３６は、第１端面部１６と第１脚部１４とにおいて前記穴３３，３５の下端コーナー部に設けられているため、該穴３３，３５に上方から嵌め込まれた比較的小径のカラム１００ｂの一端部を拡張部３４，３６に容易に嵌め込むことができる。拡張部３４，３６は、第１端面部１６と第１脚部１４とにそれぞれ略円形に形成されているため、拡張部３４，３６に嵌め込まれたカラム１００ｂの一端部は、該拡張部３４，３６の下側周壁部により下側から支持されるとともに、該拡張部３４，３６の側方周壁部により側方から支持される。また、サブ支持部６５ｂは、カラム１００ｂの一端部を拡張部３４，３６の上側周壁部により上方から覆った状態で支持するため、カラム１００ｂが拡張部３４，３６から容易に抜け外れることを防止できる。図７に示すように、拡張部３４，３６の直径はＤ２であるため、サブ支持部６５ｂは、Ｄ２以下の直径を有するカラム１００ｂを支持することができ、特に、Ｄ２と比べて同じか又は僅かに小さい直径を有するカラム１００ｂを安定して支持することができる。
【００４６】
第１ホルダ部６１の位置決めアーム３１（３１ａ，３１ｂ）は、ホルダ部本体６３における第２ホルダ部６２とは反対側の端部、具体的には第２端面部１８から延びるように設けられている。
【００４７】
位置決めアーム３１は、紙箱６に収められた第１ホルダ部６１のホルダ部本体６３を紙箱６の側面部７６から所定距離だけ離間した位置に位置決めするために設けられている。この位置決めアーム３１は、第２端面部１８との境界に設けられた折り目４９，５０に沿って折り曲げることにより、ホルダ部本体６３から第２ホルダ部６２とは反対側へ（第２ホルダ部６２から離間する方向へ）突出しないように配置される第１の状態と、ホルダ本体６３から第２ホルダ部６２とは反対側へ（第２ホルダ部６２から離間する方向へ）突出するように配置される第２の状態との間で切り替え可能となっている。
【００４８】
第１の状態において、位置決めアーム３１は、折り目４９，５０から第２ホルダ部６２側に向かって（第２ホルダ部６２に近接する方向へ）ホルダ部本体６３に沿って延びるように配置される。また、第１の状態において、位置決めアーム３１の先端は、後述の第２ホルダ部６２のホルダ本体６４の第１端面部２６近傍に配置される（図６参照）。この第１の状態にかかる位置決めアーム３１は位置決め機能を発揮せず、紙箱６に収容された第１ホルダ部６１は、ホルダ部本体６３の第２端面部１８が紙箱６の側面部７６に接する位置に位置決めされる。
【００４９】
一方、第２の状態において、位置決めアーム３１は、折り目４９，５０から第２ホルダ部６２とは反対側に向かって（第２ホルダ部６２から離間する方向へ）延びるように配置される。この第２の状態において、紙箱６に収容された第１ホルダ部６１は、位置決めアーム３１の先端が紙箱６の側面部７６に接する位置に位置決めされる。
【００５０】
第２ホルダ部６２も、第１ホルダ部６１と比べて概ね同様の構造を有し、第１〜第９のシート部２１〜２９で形成されたホルダ部本体６４と、前記延出片３２（３２ａ，３２ｂ）からなる一対の位置決めアームとを有する。
【００５１】
第２ホルダ部６２のホルダ部本体６４は、第１ホルダ部６１のホルダ部本体６３と同様、第７シート部２７からなる上面部と、第９シート部２９からなる底面部と、第６シート部２６からなり上面部２７と底面部２９とに跨る第１ホルダ部６１側の第１端面部と、第８シート部２８からなり上面部２７と底面部２９とに跨る第１ホルダ部６１側とは反対側の第２端面部とを有する。第１及び第２の端面部２６，２８間には、第４シート部２４からなり上面部２７と底面部２９とに跨る第１脚部と、第２シート部２２からなり上面部２７と底面部２９とに跨る第２脚部とが設けられている。すなわち、上面部２７は、第１及び第２端面部２６，２８と、第１及び第２脚部２２，２４とにより支持されている。
【００５２】
第２支持部６６は、前記穴３７，３９の拡張部３８，４０の直径Ｄ２よりも大きな太さを有するカラム１００ａ（図６参照）を支持するためのメイン支持部６６ａと、前記直径Ｄ２以下の太さを有するカラム１００ｂ（図７参照）を支持するためのサブ支持部６６ｂとを有する。
【００５３】
メイン支持部６６ａは、前記穴３７，３９のうち拡張部３８，４０を除く部分の周壁で構成されている。前記穴３９は、第１端面部２６と上面部２７とに跨って設けられ、前記穴３７は、第１脚部２４と上面部２７裏面の第３シート部２３とに跨って設けられている。また、前記穴３９は、上面部２７において第１端面部２６との境界部から第２端面部２８側に向かって延びるように配置されている。さらに、第３シート部２３における前記穴３７は、上面部２７の穴３９の下側に重なるように配置されている。そのため、これらの穴３７，３９に、上方から容易にカラム１００ａの一端部を嵌め込むことができる。また、穴３７，３９に嵌め込まれたカラム１００ａの一端部を、第１端面部２６における穴３９の下側周壁部と、第１脚部２４における穴３７の下側周壁部とにより下側から支持できるとともに、第１端面部２６及び上面部２７における穴３９の側方周壁部と、第１脚部２４及び第３シート部２３における穴３７の側方周壁部とにより側方から支持できる。図６に示すように、前記穴３７，３９は短手方向に幅Ｄ１を有するため、メイン支持部６６ａは、Ｄ２よりも大きく且つＤ１以下である直径を有するカラム１００ａを安定して支持することができ、特に、Ｄ１と比べて同じか又は僅かに小さい直径を有するカラム１００ａを一層安定して支持することができる。
【００５４】
一方、サブ支持部６６ｂは、前記穴３７，３９の拡張部３８，４０の周壁で構成されている。拡張部３８，４０は、第１端面部２６と第１脚部２４とにおいて前記穴３７，３９の下端コーナー部に設けられているため、該穴３７，３９に上方から嵌め込まれた比較的小径のカラム１００ａの一端部を拡張部３８，４０に容易に嵌め込むことができる。拡張部３８，４０は、第１端面部２６と第１脚部２４とにそれぞれ略円形に形成されているため、拡張部３８，４０に嵌め込まれたカラム１００ｂの一端部は、該拡張部３８，４０の下側周壁部により下側から支持されるとともに、該拡張部３８，４０の側方周壁部により側方から支持される。また、サブ支持部６６ｂは、カラム１００ｂの一端部を拡張部３８，４０の上側周壁部により上方から覆った状態で支持するため、カラム１００ｂが拡張部３８，４０から容易に抜け外れることを防止できる。図７に示すように、拡張部３８，４０の直径はＤ２であるため、サブ支持部６６ｂは、Ｄ２以下の直径を有するカラム１００ｂを支持することができ、特に、Ｄ２と比べて同じか又は僅かに小さい直径を有するカラム１００ｂを安定して支持することができる。
【００５５】
第２ホルダ部６２の位置決めアーム３２（３２ａ，３２ｂ）は、ホルダ部本体６４における第１ホルダ部６１とは反対側の端部、具体的には第２端面部２８から延びるように設けられている。
【００５６】
第１ホルダ部６１と同様、位置決めアーム３２は、紙箱６に収められた第２ホルダ部６２のホルダ部本体６４を紙箱６の側面部７５から所定距離だけ離間した位置に位置決めするために設けられている。この位置決めアーム３２は、第２端面部２８との境界に設けられた折り目５９，６０に沿って折り曲げることにより、ホルダ部本体６４から第１ホルダ部６１とは反対側へ（第１ホルダ部６１から離間する方向へ）突出しないように配置される第１の状態と、ホルダ本体６４から第１ホルダ部６１とは反対側へ（第１ホルダ部６１から離間する方向へ）突出するように配置される第２の状態との間で切り替え可能となっている。
【００５７】
第１の状態において、位置決めアーム３２は、折り目５９，６０から第１ホルダ部６１側に向かって（第１ホルダ部６１に近接する方向へ）ホルダ部本体６４に沿って延びるように配置される。また、第１の状態において、位置決めアーム３２の先端は、ホルダ本体６４の第１脚部２４と第１端面部２６との中間部近傍に配置され、同じく第１の状態にある第１ホルダ部６１の位置決めアーム３１と干渉しないようになっている（図６参照）。この第１の状態にかかる位置決めアーム３２は位置決め機能を発揮せず、紙箱６に収容された第２ホルダ部６２は、ホルダ部本体６４の第２端面部２８が紙箱６の側面部７５に接する位置に位置決めされる。
【００５８】
一方、第２の状態において、位置決めアーム３２は、折り目５９，６０から第１ホルダ部６１とは反対側に向かって（第１ホルダ部６１から離間する方向へ）延びるように配置される。この第２の状態において、紙箱６に収容された第２ホルダ部６２は、位置決めアーム３２の先端が紙箱６の側面部７５に接する位置に位置決めされる。
【００５９】
第１ホルダ部６１と第２ホルダ部６２とは、底面部１９，２９においてのみ連なっており、該底面部１９，２９の上方で且つ第１支持部６５と第２支持部６６との間にスペースＳが形成されている。そのため、カラム１００の両端部が第１及び第２の支持部６５，６６に嵌め込まれて支持された状態において、前記スペースＳを利用してカラム１００の中央部を容易に掴むことができるため、ホルダ４からカラム１００を容易に取り外すことができる。
【００６０】
また、第１ホルダ部６１の底面部１９と第２ホルダ部６２の底面部２９との境界には切り離し部３０が設けられているため、この切り離し部３０において両ホルダ部６１，６２の底面部１９，２９を容易に切り離すことができる。よって、この切り離し部３０における切り離しにより、図８に示すように、両ホルダ部６１，６２を相互に分離することができる。
【００６１】
したがって、ホルダ４は、例えば図６及び図７に示すように第１ホルダ部６１と第２ホルダ部６２とを分離しないで使用することも、例えば図９〜図１１に示すように両ホルダ部６１，６２を相互に分離して使用することもできる。一方、ホルダ４を収容する紙箱６は、例えば図６及び図７に示すように第１ホルダ部６１と第２ホルダ部６２とが分離されていない状態のホルダ４を該ホルダ４の移動を規制しつつ収容可能な第１の紙箱６ａと、第１の紙箱６ｂよりも大きく、例えば図９〜図１１に示すようにホルダ４を第１ホルダ部６１と第２ホルダ部６２とを離間させた状態で収容可能な第２の箱６ｂとから選択される。
【００６２】
図６及び図７に示すように、第１の紙箱６ａの形状は平面視において細長い矩形であり、第１の紙箱６ａには、第１ホルダ部６１と第２ホルダ部６２とが分離しておらず両ホルダ部６１，６２の位置決めアーム３１，３２が第１の状態にあるホルダ４が、紙箱６の周壁部７２の内面全体に接した状態で収容される。これにより、第１の紙箱６ａに収容されたホルダ４は、特に位置決めを行わなくてもあらゆる水平方向の移動が規制されるため、ホルダ４によりカラム１００を安定して支持することができる。
【００６３】
第１ホルダ部６１と第２ホルダ部６２とが分離していない状態において、第１支持部６５における第２支持部６６とは反対側の端部から第２支持部６６における第１支持部６５とは反対側の端部までの距離をＬ１とすると、図６及び図７に示す状態のホルダ４は、Ｌ１と比べて同じか又は僅かに短い長さを有するカラム１００ａ，１００ｂを安定して支持することができる。
【００６４】
また、上述した通り、図６に示すようにＤ２よりも大きく且つＤ１以下である直径を有するカラム１００ａは、メイン支持部６５ａ，６６ａで安定して支持することができ、図７に示すようにＤ２以下の直径を有するカラム１００ｂは、サブ支持部６５ｂ，６６ｂで支持することができる。
【００６５】
図９〜図１１に示すように、第２の紙箱６ｂの形状も平面視において細長い矩形であり、平面視の短手方向に関して第２の紙箱６ｂは第１の紙箱６ａと同じ幅を有するが、平面視の長手方向に関して第２の紙箱６ｂは第１の紙箱６ａよりも長く形成されている。第２の紙箱６ｂには、第１ホルダ部６１と第２ホルダ部６２とが相互に分離したホルダ４が収容される。
【００６６】
図９に示す態様において、第２の紙箱６ｂに収容されたホルダ４は、両ホルダ部６１，６２の位置決めアーム３１，３２が第１の状態にあり、第１ホルダ部６１のホルダ部本体６３が紙箱６ｂの一方の側面部７６に接するとともに、第２ホルダ部６２のホルダ部本体６４が紙箱６ｂの他方の側面部７５に接するように位置決めされている。
【００６７】
この場合、第１支持部６５における第２支持部６６とは反対側の端部から第２支持部６６における第１支持部６５とは反対側の端部までの距離Ｌ２は、第１ホルダ部６１と第２ホルダ部６２とが分離していない場合の前記距離Ｌ１よりも長くなるため、図６に示す場合よりも長いカラム１００ｃをホルダ４により支持することができる。特に、Ｌ２と比べて同じか又は僅かに短いカラム１００ｃをホルダ４で支持することで、ホルダ４とカラム１００ｃとを紙箱６ｂ内で突っ張らせるように収容することができ、これにより、紙箱６ｂ内でのホルダ４の移動を規制して、カラム１００ｃを安定して支持することができる。
【００６８】
なお、図９は、メイン支持部６５ａ，６６ａにより比較的大径のカラム１００ｃを支持した状態を示しているが、図９に示す態様で紙箱６ｂにホルダ４を収容する場合においても、サブ支持部６５ｂ，６６ｂにより図７に示すカラム１００ｂと同様の比較的小径のカラムを支持することができる。
【００６９】
図１０は、図９に示す態様と異なり、第１ホルダ部６１の位置決めアーム３１を第２の状態に切り替えてホルダ４を紙箱６ｂに収容した態様を示す。図１０に示す態様において、ホルダ４は、第１ホルダ部６１の位置決めアーム３１の先端が紙箱６ｂの一方の側面部７６に接するとともに、第２ホルダ部６２のホルダ部本体６４が紙箱６ｂの他方の側面部７５に接するように位置決めされている。
【００７０】
この場合、第１支持部６５における第２支持部６６とは反対側の端部から第２支持部６６における第１支持部６５とは反対側の端部までの距離Ｌ３が、第１ホルダ部６１と第２ホルダ部６２とが分離していない場合の前記距離Ｌ１よりも長く、且つ、図９に示す態様における前記距離Ｌ２よりも短くなる。そのため、図６に示す場合よりも長く且つ図９に示す場合よりも短いカラム１００ｄをホルダ４により支持することができる。特に、Ｌ３と比べて同じか又は僅かに短いカラム１００ｄをホルダ４で支持することで、ホルダ４とカラム１００ｄとを紙箱６ｂ内で突っ張らせるように収容することができ、これにより、紙箱６ｂ内でのホルダ４の移動を規制して、カラム１００ｄを安定して支持することができる。
【００７１】
なお、図１０も、メイン支持部６５ａ，６６ａにより比較的大径のカラム１００ｄを支持した状態を示しているが、図１０に示す態様で紙箱６ｂにホルダ４を収容する場合においても、サブ支持部６５ｂ，６６ｂにより図７に示すカラム１００ｂと同様の比較的小径のカラムを支持することができる。
【００７２】
図１１は、図９及び図１０に示す態様と異なり、第１ホルダ部６１の位置決めアーム３１を第１の状態とするとともに、第２ホルダ部６２の位置決めアーム３２を第２の状態として、ホルダ４を紙箱６ｂに収容した態様を示す。図１１に示す態様において、ホルダ４は、第１ホルダ部６１のホルダ部本体６３が紙箱６ｂの一方の側面部７６に接するとともに、第２ホルダ部６２の位置決めアーム３２の先端が紙箱６ｂの他方の側面部７５に接するように位置決めされている。
【００７３】
この場合、第１支持部６５における第２支持部６６とは反対側の端部から第２支持部６６における第１支持部６５とは反対側の端部までの距離Ｌ４が、第１ホルダ部６１と第２ホルダ部６２とが分離していない場合の前記距離Ｌ１、及び図１０に示す態様における前記距離Ｌ３よりも長く、且つ、図９に示す態様における前記距離Ｌ２よりも短くなる。そのため、図６に示す場合及び図１０に示す場合よりも長く且つ図９に示す場合よりも短いカラム１００ｅをホルダ４により支持することができる。特に、Ｌ４と比べて同じか又は僅かに短いカラム１００ｅをホルダ４で支持することで、ホルダ４とカラム１００ｅとを紙箱６ｂ内で突っ張らせるように収容することができ、これにより、紙箱６ｂ内でのホルダ４の移動を規制して、カラム１００ｅを安定して支持することができる。
【００７４】
なお、図１１も、メイン支持部６５ａ，６６ａにより比較的大径のカラム１００ｅを支持した状態を示しているが、図１１に示す態様で紙箱６ｂにホルダ４を収容する場合においても、サブ支持部６５ｂ，６６ｂにより図７に示すカラム１００ｂと同様の比較的小径のカラムを支持することができる。
【００７５】
以上のように、包装されるカラム１００の長さに応じて、使用する紙箱６を第１の紙箱６ａと第２の紙箱６ｂとの間で切り替えたり、ホルダ４の状態を分離状態と非分離状態との間で切り替えたり、ホルダ４の第１及び第２のホルダ部６１，６２の位置決めアーム３１，３２の状態を第１の状態と第２の状態との間で切り替えたりすることにより、種々の長さのカラム１００をホルダ４で安定して支持することができる。
【００７６】
なお、図９〜図１１の態様では、いずれの対応においても同じ長さの第２の紙箱６ｂが使用されているが、各態様における第２の紙箱６ｂの長さは、第１の紙箱６ａの長さよりも大きければ、カラム１００の長さに応じて適宜変更することができる。
【００７７】
以上、上述の実施形態を挙げて本発明を説明したが、本発明は上述の実施形態に限定されるものではない。
【００７８】
例えば、上述の実施形態では、紙箱６にホルダ４及びカラム１００を１つずつ収容する構成について説明したが、本発明は、例えば図１２及び図１３に示すように、１つの紙箱６に複数のホルダ４及びカラム１００を収容するようにしてもよい。この場合、具体的には、図１２及び図１３に示すように、複数のホルダ４を横に並べて配置した状態で紙箱６に収容してもよいし、図示は省略するが、複数のホルダ４を上下に重ねて配置した状態で収容するようにしてもよい。また、複数のホルダ４を収容する場合、図１２に示すように全てのホルダ４を第１ホルダ部６１と第２ホルダ部６２とが分離しない状態で紙箱６ｃに収容するようにしてもよい。さらに、図１３に示すように、全部または一部のホルダ４を第１ホルダ部６１と第２ホルダ部６２とが相互に分離した状態で紙箱６ｄに収容してもよいし、全部または一部のホルダ４の位置決めアーム３１，３２を第２の状態に切り替えた状態で紙箱６ｄに収容するようにしてもよい。
【００７９】
また、上述の実施形態では、第１ホルダ部６１と第２ホルダ部６２の両方に位置決めアーム３１，３２を設ける場合について説明したが、第１ホルダ部６１又は第２ホルダ部６２の一方にのみ位置決めアームを設けるようにしてもよい。
【００８０】
さらに、上述の実施形態では、第１及び第２の支持部６５，６６の全体を穴３３，３５，３７，３９の周壁で構成する場合について説明したが、第１及び第２の支持部６５，６６の一部を穴３３，３５，３７，３９の周壁で構成するとともに、残りの部分は前記周壁以外のシート部分で構成するようにしてもよい。
【００８１】
さらにまた、上述の実施形態では、ミシン目状に配置された切り目により切り離し部３０を構成する場合について説明したが、切り離し部３０の構成は、第１ホルダ部６１と第２ホルダ部６２とを分離可能なものであれば特に限定されるものでない。
【００８２】
また、上述の実施形態では、液体クロマトグラフィ用のカラムを支持するホルダ４及び該ホルダを備えた包装体２について説明したが、本発明は、カラム以外の棒状部材を支持するホルダ及び該ホルダを備えた包装体にも同様に適用することができる。
【００８３】
さらに、上述の実施形態では、包装体を構成する箱が紙箱である場合について説明したが、本発明は、紙箱以外の箱を用いることを妨げるものでない。
【００８４】
さらにまた、上述の実施形態では、ホルダ４を紙製シート１０で形成する場合について説明したが、本発明に係るホルダは、紙以外の材料からなるシートで形成されるものであってもよく、さらには、シートの折り曲げ以外の方法で形成されるものであってもよい。
【符号の説明】
【００８５】
２：包装体、４：カラム用ホルダ、６：紙箱、１０：シート、３０：切り離し部、３１ａ，３１ｂ：第１ホルダ部の位置決めアーム、３２ａ，３２ｂ：第２ホルダ部の位置決めアーム、６１：第１ホルダ部、６２：第２ホルダ部、６３，６４：ホルダ部本体、６５：第１支持部、６６：第２支持部、６５ａ，６６ａ：メイン支持部、６５ｂ，６６ｂ：サブ支持部。
【要約】
【課題】大きさが異なる複数種類の棒状部材に対応可能な棒状部材用ホルダ、並びにこれを備えた包装体を提供する。
【解決手段】箱６内において棒状部材１００を該箱６の内面から離間させた状態で支持するために前記箱６に収容される棒状部材用ホルダ４に、第１ホルダ部６１と第２ホルダ部６２とを設け、第１ホルダ部６１に、前記棒状部材１００の一端部を支持する第１支持部６５を設け、第２ホルダ部６２に、前記棒状部材１００の他端部を支持する第２支持部６６を第１支持部６５から離間して設けて、第１ホルダ部６１と第２ホルダ部６２とを相互に分離可能とする。
【選択図】図９【図１】
0004800448.tif 000002
【図２】
0004800448.tif 000003
【図３】
0004800448.tif 000004
【図４】
0004800448.tif 000005
【図５】
0004800448.tif 000006
【図６】
0004800448.tif 000007
【図７】
0004800448.tif 000008
【図８】
0004800448.tif 000009
【図９】
0004800448.tif 000010
【図１０】
0004800448.tif 000011
【図１１】
0004800448.tif 000012
【図１２】
0004800448.tif 000013
【図１３】
0004800448.tif 000014